(57)【特許請求の範囲】
【請求項１】
円筒穴を内部に有するハウジングと、
前記穴の内部に回転自在に嵌め込まれた回転組合せ体と、
前記回転組合せ体に配設された複数のロッキングバーであって、前記回転組合せ体の軸に向かって半径方向内方に延びるロッキングバーピンを各々のロッキングバーが有し、各ロッキングバーは前記軸と実質的に平行な方向に沿って回転組合せ体上で移動可能となっているとともに前記軸に対して半径方向に移動可能となっているような複数のロッキングバーと、
前記軸に沿って配設され、表面に複数の組合せパターン孔が形成された組合せパターン棒と、
を備え、
前記各ロッキングバーは、コード化された鍵によって前記実質的に平行な方向に移動させられて前記各ロッキングバーのロッキングバーピンが各々の組合せパターン孔に向かうような位置となるよう構成されており、
前記回転組合せ体は前記鍵により回転させられて解錠位置となるよう構成されており、この際に様々な回転位置において前記各ロッキングバーが前記軸に向かって半径方向に移動させられて前記各ロッキングバーピンが各々の組合せパターン孔に係合し、前記円筒穴内で前記回転組合せ体を回転させることができるようになることを特徴とするシリンダ錠。
【請求項２】
前記回転組合せ体が第１の回転位置にあるときのみに前記鍵のシリンダ錠への挿入およびシリンダ錠からの取り外しを行うことができるようになっていることを特徴とする請求項１記載のシリンダ錠。
【請求項３】
前記組合せパターン棒は前記回転組合せ体から独立して回転することができるよう形成されていることを特徴とする請求項１または２記載のシリンダ錠。
【請求項４】
前記鍵による前記組合せパターン棒の回転を容易に行うことができるようにするために前記組合せパターン棒は前記鍵に係合することができるようになっていることを特徴とする請求項３記載のシリンダ錠。
【請求項５】
前記組合せパターン棒は、前記組合せパターン孔に対して角度がオフセットした追加の組合せパターン孔を更に有し、この追加の組合せパターン孔は前記組合せパターン棒に関する平行なコードを規定するようになっていることを特徴とする請求項４記載のシリンダ錠。
【請求項６】
前記組合せパターン棒は、前記回転組合せ体に対して回転させられて前記平行コードが前記ロッキングバーに位置合わせされるような位置となるよう構成されており、
シリンダ錠は、前記平行コードに従ってコード化された鍵によって操作されるようになっていることを特徴とする請求項５記載のシリンダ錠。
【請求項７】
前記平行コードは、マスターキーのコードであることを特徴とする請求項６記載のシリンダ錠。
【請求項８】
前記組合せパターン棒は、シリンダ錠から取り外すことができるよう構成されていることを特徴とする請求項１乃至７のいずれか一項に記載のシリンダ錠。
【請求項９】
前記回転組合せ体が第１の回転位置にあるときに前記組合せパターン棒が取り外されることを抑止するための抑止手段を更に備えたことを特徴とする請求項８記載のシリンダ錠。
【請求項１０】
前記抑止手段は、前記実質的に平行な方向における前記回転組合せ体上の定位置に設けられたセットピンを有し、このセットピンは前記組合せパターン棒に形成されたセット孔に向かって半径方向に延びており、当該セットピンは前記軸に対して半径方向に移動可能となっており、
シリンダ錠は、前記回転組合せ体が第１の位置にあるときに前記セットピンが移動させられて前記セット孔に係合されるよう構成されていることを特徴とする請求項９記載のシリンダ錠。
【請求項１１】
前記組合せパターン棒は、前記回転組合せ体が第２の回転位置にあるときに取り外されるよう構成されていることを特徴とする請求項９または１０記載のシリンダ錠。
【請求項１２】
前記組合せパターン棒を取り外すために当該組合せパターン棒を容易に回転させて前記第２の回転位置に前記回転組合せ体を位置させることができるようにするため適切にコード化された取り外し用鍵と組み合わせられる請求項１１記載のシリンダ錠であって、
前記取り外し用鍵は、第１の回転配向および少なくとも第２の回転配向においてシリンダ錠への挿入およびシリンダ錠からの取り外しを行うことができるよう構成されており、前記第１の回転配向および第２の回転配向はそれぞれ前記回転組合せ体の第１の回転位置および第２の回転位置に対応していることを特徴とするシリンダ錠。
【請求項１３】
前記組合せパターン棒は、当該組合せパターン棒の後部まで延びる取り外しチャンネルを有し、
前記取り外し用鍵は適切にコード化されて、当該取り外し用鍵が第１の回転配向となったときに前記複数のロッキングバーのうち第１のロッキングバーが前記実質的に平行な方向に移動させられてこの第１のロッキングバーは当該第１のロッキングバーのロッキングバーピンが前記チャンネルに向かって延びるような位置となるようになっており、
シリンダ錠は、前記取り外し用鍵が第２の回転配向となったときに前記回転組合せ体が前記第２の回転位置に位置し、前記第１のロッキングバーが半径方向に移動させられ、前記第１のロッキングバーのロッキングバーピンが前記チャンネルに係合し、シリンダ錠の各ピンの残りは前記組合せパターン棒に係合されないようになっていることを特徴とする請求項１２記載のシリンダ錠。
【請求項１４】
組合せパターン棒がシリンダ錠から取り外されたときに、交換用の組合せパターン棒を受け入れるよう構成されていることを特徴とする請求項８乃至１３のいずれか一項に記載のシリンダ錠。
【請求項１５】
円筒穴を内部に有するハウジングと、
前記穴の内部に回転自在に嵌め込まれた回転組合せ体と、
前記回転組合せ体に配設された複数のロッキングバーであって、前記回転組合せ体の軸に向かって半径方向内方に延びるロッキングバーピンを各々のロッキングバーが有し、各ロッキングバーは前記軸と実質的に平行な方向に沿って回転組合せ体上で移動可能となっているとともに前記軸に対して半径方向に移動可能となっているような複数のロッキングバーと、
を備えたシリンダ錠であって、
このシリンダ錠は、前記軸に沿って配設され表面に複数の組合せパターン孔が形成された組合せパターン棒を受け入れるよう構成されており、
前記各ロッキングバーは、コード化された鍵によって前記実質的に平行な方向に移動させられて前記各ロッキングバーのロッキングバーピンが各々の組合せパターン孔に向かうような位置となるよう構成されており、
前記回転組合せ体は前記鍵により回転させられて解錠位置となるよう構成されており、この際に様々な回転位置において前記各ロッキングバーが前記軸に向かって半径方向に移動させられて前記各ロッキングバーピンが各々の組合せパターン孔に係合し、前記円筒穴内で前記回転組合せ体を回転させることができるようになることを特徴とするシリンダ錠。
【請求項１６】
前記回転組合せ体が第１の回転位置にあるときのみに前記鍵のシリンダ錠への挿入およびシリンダ錠からの取り外しを行うことができるようになっていることを特徴とする請求項１５記載のシリンダ錠。
【請求項１７】
前記組合せパターン棒は前記回転組合せ体から独立して回転することができるよう形成されていることを特徴とする請求項１５または１６記載のシリンダ錠。
【請求項１８】
前記鍵による前記組合せパターン棒の回転を容易に行うことができるようにするために前記組合せパターン棒は前記鍵に係合することができるようになっていることを特徴とする請求項１７記載のシリンダ錠。
【請求項１９】
前記組合せパターン棒は、前記組合せパターン孔に対して角度がオフセットした追加の組合せパターン孔を更に有し、この追加の組合せパターン孔は前記組合せパターン棒に関する平行なコードを規定するようになっていることを特徴とする請求項１８記載のシリンダ錠。
【請求項２０】
前記組合せパターン棒は、前記回転組合せ体に対して回転させられて前記平行コードが前記ロッキングバーに位置合わせされるような位置となるよう構成されており、
シリンダ錠は、前記平行コードに従ってコード化された鍵によって操作されるようになっていることを特徴とする請求項１９記載のシリンダ錠。
【請求項２１】
前記平行コードは、マスターキーのコードであることを特徴とする請求項２０記載のシリンダ錠。
【請求項２２】
前記組合せパターン棒は、シリンダ錠から取り外すことができるよう構成されていることを特徴とする請求項１５乃至２１のいずれか一項に記載のシリンダ錠。
【請求項２３】
前記回転組合せ体が第１の回転位置にあるときに前記組合せパターン棒が取り外されることを抑止するための抑止手段を更に備えたことを特徴とする請求項２２記載のシリンダ錠。
【請求項２４】
前記抑止手段は、前記実質的に平行な方向における前記回転組合せ体上の定位置に設けられたセットピンを有し、このセットピンは前記組合せパターン棒に形成されたセット孔に向かって半径方向に延びており、当該セットピンは前記軸に対して半径方向に移動可能となっており、
シリンダ錠は、前記回転組合せ体が第１の位置にあるときに前記セットピンが移動させられて前記セット孔に係合されるよう構成されていることを特徴とする請求項２３記載のシリンダ錠。
【請求項２５】
前記組合せパターン棒は、前記回転組合せ体が第２の回転位置にあるときに取り外されるよう構成されていることを特徴とする請求項２３または２４記載のシリンダ錠。
【請求項２６】
前記組合せパターン棒を取り外すために当該組合せパターン棒を容易に回転させて前記第２の回転位置に前記回転組合せ体を位置させることができるようにするため適切にコード化された取り外し用鍵と組み合わせられる請求項２５記載のシリンダ錠であって、
前記取り外し用鍵は、第１の回転配向および少なくとも第２の回転配向においてシリンダ錠への挿入およびシリンダ錠からの取り外しを行うことができるよう構成されており、前記第１の回転配向および第２の回転配向はそれぞれ前記回転組合せ体の第１の回転位置および第２の回転位置に対応していることを特徴とするシリンダ錠。
【請求項２７】
前記組合せパターン棒は、当該組合せパターン棒の後部まで延びる取り外しチャンネルを有し、
前記取り外し用鍵は適切にコード化されて、当該取り外し用鍵が第１の回転配向となったときに前記複数のロッキングバーのうち第１のロッキングバーが前記実質的に平行な方向に移動させられてこの第１のロッキングバーは当該第１のロッキングバーのロッキングバーピンが前記チャンネルに向かって延びるような位置となるようになっており、
シリンダ錠は、前記取り外し用鍵が第２の回転配向となったときに前記回転組合せ体が前記第２の回転位置に位置し、前記第１のロッキングバーが半径方向に移動させられ、前記第１のロッキングバーのロッキングバーピンが前記チャンネルに係合し、シリンダ錠の各ピンの残りは前記組合せパターン棒に係合されないようになっていることを特徴とする請求項２６記載のシリンダ錠。
【請求項２８】
半径方向に延びる突出部が形成されたシリンダ本体と、
前記シリンダ本体の内部に配設された回転体と、
を備えた鍵であって、
この鍵は、請求項１乃至２７のいずれか一項に記載のシリンダ錠と協働するよう構成されており、
前記突出部は、前記鍵が前記シリンダ錠に挿入されるのに適切な形状および位置となっており、前記ロッキングバーは前記突出部に係合されて前記実質的に平行な方向に移動させられて前記各ロッキングバーのロッキングバーピンが前記組合せパターン孔のうち対応する各々の孔に向かって延びるようになっており、前記突出部は、前記回転組合せ体に係合するよう構成されており、このことにより前記鍵を回すことにより前記回転組合せ体が回転するようになっており、
前記回転体は、さらに前記組合せパターン棒に係合するよう構成されており、このことにより前記鍵を回すことにより前記組合せパターン棒が回転するようになっていることを特徴とする鍵。
【請求項２９】
前記回転組合せ体が第１の回転位置にあるときにシリンダ本体の一の回転配向のみにおいてシリンダ錠への挿入およびシリンダ錠からの取り外しを行うことができるようになっていることを特徴とする請求項２８記載の鍵。
【請求項３０】
シリンダ錠の前記組合せパターン棒は平行なコードを有し、鍵がシリンダ錠に挿入された状態で前記回転体は更に前記組合せパターン棒を回転させるよう構成されており、鍵が完全にシリンダ錠に挿入されたときに前記平行コードは前記ロッキングバーのロッキングバーピンに位置合わせされるようになっていることを特徴とする請求項２８または２９記載の鍵。
【請求項３１】
マスターキーであることを特徴とする請求項３０記載の鍵。
【請求項３２】
前記突出部は、前記シリンダ本体の長手方向に対して概して平行に引き延ばされたものであることを特徴とする請求項２８乃至３１のいずれか一項に記載の鍵。
【請求項３３】
少なくとも一つの前記突出部の代わりに、コード化された部分を有するアクチュエータが用いられ、このアクチュエータは、前記コード化された部分が実質的に前記シリンダ本体内に横たわるよう通常は付勢されており、鍵がシリンダ錠に挿入されたときにこのシリンダ錠の一部分が前記アクチュエータに係合し、コード化された部分がシリンダ本体から突出して各々のロッキングバーに係合するようになっていることを特徴とする請求項２８乃至３２のいずれか一項に記載の鍵。
【請求項３４】
アクチュエータに係合するようなシリンダ錠の一部分は前記組合せパターン棒であることを特徴とする請求項３３記載の鍵。
【請求項３５】
半径方向に延びる突出部が形成されたシリンダ本体と、
前記シリンダ本体の内部に配設された回転体と、
を備えた取り外し用鍵であって、
この取り外し用鍵は、請求項１２または２６に記載のシリンダ錠と協働するよう構成されており、
前記突出部は、前記回転組合せ体が第１の回転位置にあるときにおけるシリンダ錠の内部における前記シリンダ本体の回転配向に前記取り外し用鍵が挿入されるのに適切な形状および位置となっており、
前記ロッキングバーは前記突出部に係合されて前記実質的に平行な方向に移動させられて前記各ロッキングバーのロッキングバーピンが前記組合せパターン孔のうち対応する各々の孔に向かって延びるようになっており、
前記突出部は、さらに前記回転組合せ体に係合するよう構成されており、このことにより前記取り外し用鍵を回すことにより前記回転組合せ体が回転するようになっており、
前記回転体は前記組合せパターン棒に係合するよう構成されており、このことにより前記取り外し用鍵を回すことにより前記組合せパターン棒が回転するようになっており、
前記鍵は、前記シリンダ本体の第１の回転配向および少なくとも第２の回転配向においてシリンダ錠への挿入およびシリンダ錠からの取り外しを行うことができるよう構成されており、前記第１の回転配向および第２の回転配向はそれぞれ前記回転組合せ体の第１の回転位置および第２の回転位置に対応していることを特徴とする取り外し用鍵。
【請求項３６】
シリンダ錠の組合せパターン棒は当該組合せパターン棒の後部まで延びる取り外し用のチャンネルを有し、前記突出部のうち第１の突出部は前記複数のロッキングバーのうち第１のロッキングバーと係合して前記実質的に平行な方向に移動させるのに適した形状および位置となっており、前記第１のロッキングバーは、前記取り外し用鍵がシリンダ錠に挿入されて前記シリンダ本体が第１の回転配向にあるときに、当該第１のロッキングバーのロッキングバーピンが前記チャンネルに向かって延びるような位置となることを特徴とする請求項３５記載の取り外し用鍵。
【請求項３７】
前記突出部は前記シリンダ本体の長手方向に沿って引き延ばされたものであることを特徴とする請求項３５または３６に記載の取り外し用鍵。
【請求項３８】
少なくとも一つの前記突出部の代わりに、コード化された部分を有するアクチュエータが用いられ、このアクチュエータは、前記コード化された部分が実質的に前記シリンダ本体内に横たわるよう通常は付勢されており、取り外し用鍵がシリンダ錠に挿入されたときにこのシリンダ錠の一部が前記アクチュエータに係合し、コード化された部分がシリンダ本体から突出して各々のロッキングバーに係合するようになっていることを特徴とする請求項３５乃至３７のいずれか一項に記載の取り外し用鍵。
【請求項３９】
アクチュエータに係合するようなシリンダ錠の一部分は前記組合せパターン棒であることを特徴とする請求項３８記載の取り外し用鍵。
【請求項４０】
請求項１５乃至２７のいずれか一項に記載のシリンダ錠に使用される組合せパターン棒および鍵のセットであって、このセットは少なくとも一つの組合せパターン棒および少なくとも一つの適切なコード鍵を有することを特徴とする組合せパターン棒および鍵のセット。
【請求項４１】
請求項１４記載のシリンダ錠に使用される組合せパターン棒および鍵のセットであって、このセットは少なくとも一つの組合せパターン棒および少なくとも一つの適切なコード鍵を有し、前記少なくとも一つの組合せパターン棒は交換用の組合せパターン棒であることを特徴とする組合せパターン棒および鍵のセット。
【請求項４２】
請求項４０または４１記載の組合せパターン棒および鍵のセットであって、
前記セットのうち少なくとも一つの組合せパターン棒は平行なコードを有し、
前記平行コードに対応して適切にコード化された少なくとも一つの鍵を更に備えたことを特徴とする組合せパターン棒および鍵のセット。
【請求項４３】
少なくとも二つの組合せパターン棒に同一の平行コードが設けられており、
これらの同じ平行コードに対応して適切にコード化されたマスターキーを更に備えたことを特徴とする請求項４０乃至４２のいずれか一項に記載の組合せパターン棒および鍵のセット。
【請求項４４】
取り外し用の鍵を更に備えたことを特徴とする請求項４０乃至４３のいずれか一項に記載の組合せパターン棒および鍵のセット。
【請求項４５】
請求項１乃至２７のいずれか一項に記載のシリンダ錠に使用される組合せパターン棒。
【発明の詳細な説明】
【技術分野】
【０００１】
本発明は、改善された錠構造体および鍵、改善されたマスターキーにより鍵を掛ける方法および組合せパターンを変化させる方法に関する。
【背景技術】
【０００２】
とりわけ安全性の高い錠に関する錠構造体は、より高い安全性を得るために次第に複雑な機構を有する傾向がある。このような複雑さの当然の結果として、錠の機構はより多くの組合せパターン（ｃｏｍｂｉｎａｔｉｏｎｓ）を得るためにより多くの可動部分を含むようになる。錠の組合せパターンを変更して錠の鍵更新を行うために、錠を分解し、錠の必要な構成要素の調整または交換を行い、錠を再組立する必要がある。この作業は非常に複雑であり時間を浪費し、さらに専門の錠前師の技能が必要となる。
【発明の開示】
【発明が解決しようとする課題】
【０００３】
組合せパターンが定期的に変更されるような錠を用いる場合には、錠の頑健性が他の検討材料となる。このことは、安全性の高い鍵によく当てはまることである。錠の製造者は、新しい組合せパターンを得るために錠の構造体の一部のみについて取り外しおよび鍵更新が行われるようなこの目的に合致する錠を製造してきた。一般的には錠プラグが取り外され、鍵更新が行われ、再び配置される。しかしながら、錠プラグの鍵更新は当該錠プラグの解体および再組立を必要とし、非常に複雑であり時間を浪費する作業であった。このような錠プラグの取り外しおよび再配置の作業は単純ではない。錠は、錠プラグの取り外しおよび再配置の作業が比較的迅速かつ効率的となるよう形成されなければならない。取り外されることのない錠構造体および取り外し可能な部分は、両方とも取り外しおよび再配置の作業に対して耐久性の有するものである必要がある。この作業により生じる損傷が再配置されるべき完全な錠にもたらされるからである。取り外し可能な部分が正確に位置合わせされ、錠構造体の残りの部分に適切に係合するよう手入れが行われなければならない。このことは瑣末な作業ではなく、高い精度が必要とされる。このため、結局のところ、錠の組合せパターンの通常の変更はコストがかかり厄介な作業となる。安全性の高い錠に係る業界においてマスターキーの提供を可能とすることが望まれるようになった。マスターキーは階層鍵も含んでいる。鍵が解錠を行うことができるような複数の錠は、鍵が配置される階層がどれくらいの高さとなるかによってその性能が決まる。一般的に、階層は、特定の錠を開ける標準の鍵、複数の錠を開けるマスターキー、全てまたはほとんど全ての錠を開けるグランドマスターキーから構成されている。
【０００４】
Ｍａｔｔ  Ｂｌａｚｅ氏による「Ｃｒｙｐｔｏｌｏｇｙ  ａｎｄ  Ｐｈｙｓｉｃａｌ  Ｓｅｃｕｒｉｔｙ：Ｒｉｇｈｔｓ  Ａｍｐｌｉｆｉｃａｔｉｏｎ  ｉｎ  Ｍａｓｔｅｒ−Ｋｅｙｅｄ  Ｍｅｃｈａｎｉｃａｌ  Ｌｏｃｋｓ」（ＩＥＥＥ  Ｓｅｃｕｒｉｔｙ  ａｎｄ  Ｐｒｉｖａｃｙ社、３月／４月号  ２００３年）の論文に、マスターキーに関する固有の問題が議論されている。要約すると、マスターキーは、錠に適用可能な組合せパターンの実現可能な数を実質的に減少させている。このことにより、錠によりもたらされる安全性が減少する。プロファイリングによりマスターキーが使用された場合に、このことにより鍵の強度もまた減少させられ、操作が困難となることについて留意されたい。
【０００５】
このため、本発明は、妥当な水準の安全性および頑健性が得られるような錠構造体を提供することを目的とする。
【０００６】
このような錠に関する本発明の更に好ましい目的は、再配置に必要な移動部分の数が最小限となるような組合せパターンの変更を容易とすることにある。組合せパターンを変更するこの作業は、他の錠と比較して比較的単純となりがちである。
【０００７】
本発明の更なる目的は、本発明の錠の使用に適合する鍵を提供することにある。
【０００８】
本発明の更なる好ましい目的は、使用される操作組合せパターンの数を実質的に減少させないような、改善されたマスターキーの性能が得られるような錠を提供することにある。
【課題を解決するための手段】
【０００９】
本発明の一の態様によれば、
円筒穴を内部に有するハウジングと、
前記穴の内部に回転自在に嵌め込まれた回転組合せ体と、
前記回転組合せ体に配設されたロッキングバーであって、前記回転組合せ体の軸に向かって半径方向内方に延びるロッキングバーピンを各々のロッキングバーが有し、各ロッキングバーは前記軸と実質的に平行な方向に沿って回転組合せ体上で移動可能となっているとともに前記軸に対して半径方向に移動可能となっているような複数のロッキングバーと、
前記軸に沿って配設され、表面に複数の組合せパターン孔（ｃｏｍｂｉｎａｔｉｏｎ  ｈｏｌｅｓ）が形成された組合せパターン棒（ｃｏｍｂｉｎａｔｉｏｎ  ｐｏｓｔ）と、
を備え、
前記各ロッキングバーは、コード化（符号化）された鍵（ｃｏｄｅｄ  ｋｅｙ）によって前記実質的に平行な方向に移動させられて前記各ロッキングバーのロッキングバーピンが各々の組合せパターン孔に向かうような位置となるよう構成されており、
前記回転組合せ体は前記鍵により回転させられて解錠位置となるよう構成されており、この際に様々な回転位置において前記各ロッキングバーが前記軸に向かって半径方向に移動させられて前記各ロッキングバーピンが各々の組合せパターン孔に係合し、前記円筒穴内で前記回転組合せ体を回転させることができるようになることを特徴とするシリンダ錠が提供される。
【００１０】
本発明の他の態様によれば、
円筒穴を内部に有するハウジングと、
前記穴の内部に回転自在に嵌め込まれた回転組合せ体と、
前記回転組合せ体に配設された複数のロッキングバーであって、前記回転組合せ体の軸に向かって半径方向内方に延びるロッキングバーピンを各々のロッキングバーが有し、各ロッキングバーは前記軸と実質的に平行な方向に沿って回転組合せ体上で移動可能となっているとともに前記軸に対して半径方向に移動可能となっているような複数のロッキングバーと、
を備えたシリンダ錠であって、
このシリンダ錠は、前記軸に沿って配設され表面に複数の組合せパターン孔が形成された組合せパターン棒を受け入れるよう構成されており、
前記各ロッキングバーは、コード化された鍵によって前記実質的に平行な方向に移動させられて前記各ロッキングバーのロッキングバーピンが各々の組合せパターン孔に向かうような位置となるよう構成されており、
前記回転組合せ体は前記鍵により回転させられて解錠位置となるよう構成されており、この際に様々な回転位置において前記各ロッキングバーが前記軸に向かって半径方向に移動させられて前記各ロッキングバーピンが各々の組合せパターン孔に係合し、前記円筒穴内で前記回転組合せ体を回転させることができるようになることを特徴とするシリンダ錠が提供される。
【００１１】
錠の組合せパターンは、組合せパターン棒のみを交換することにより変更することができるようになっていることが好ましい。組合せパターン棒の組合せパターン孔の位置によって、錠の組合せパターンが決められる。このことにより、異なる位置にある組合せパターン孔を有する他の組合せパターン棒との交換を行うことにより、錠の組合せパターンの変更を効率的に行うことができる。このようにして、交換作業が比較的容易になり、移動部分を最小限とすることができる。最も複雑な移動部分、すなわちロッキングバーは、交換または調整が必要とされない。
【００１２】
他の好ましい態様によれば、本発明は、１または複数の組合せパターン棒および１または複数の対応する鍵を有する鍵および組合せパターン棒のセットに関し、このような１または複数の組合せパターン棒により規定される組合せに錠がセットされたときに、前述の１または複数の鍵がこの錠を作動させることができる。
【００１３】
錠は、選択可能な平行な組合せパターンを有することが好ましい。このことは、錠が複数の鍵により操作可能であり、このためマスターキーとしての性能を提供するが、使用可能な組合せパターンの数を減少させないという利点が得られる。
【００１４】
他の態様によれば、本発明は、シリンダ錠に使用される鍵であって、
このシリンダ錠は円筒穴を内部に有するハウジングと、前記穴の内部に回転自在に嵌め込まれた回転組合せ体とを備え、前記回転組合せ体は、当該回転組合せ体の周囲に半径方向に配設されたロッキングバーを有し、各ロッキングバーは前記回転組合せ体の軸に実質的に平行な方向に移動されるよう構成され、
前記鍵は、円筒穴を有する本体と、半径方向外方に延びる突出部のセットとを備え、この突出部は前記ロッキングバーを移動させるよう構成されているような鍵に関するものである。
【００１５】
好ましい態様においては、前記鍵は更に前記錠の組合せパターン棒に係合する手段を有し、この組合せパターン棒を動作可能なように回転させて予め設定された回転位置とするようになっている。
【００１６】
本発明は、組合せパターンをセットする第１の構成要素と、解錠を行うよう構成された第２の構成要素とを備えた錠であって、第１の構成要素および第２の構成要素が互いのものに対して回転し、第１および第２の構成要素に関する複数の重複しない相対的な回転位置が設けられており、少なくとも第１の前記位置の一つが通常の組合せパターンを規定し、第２の位置がマスターキーの組合せパターンを規定するような錠を提供する。
【００１７】
本発明の構成によれば、異なる回転位置において錠の独立した組合せパターンを得ることができる。この概念は、開示された特定の実施に特有のものではない。このような方法を用いることにより、マスターキーによって通常の操作組合せパターンが減少することはない。
【発明を実施するための最良の形態】
【００１８】
本発明の好ましい実施の形態について、図面を参照して以下に記載する。
【００１９】
図１乃至図３は、プラグ３０および外郭部材１３を含む、本発明による錠構造体の好ましい実施の形態を示す。
【００２０】
プラグ３０は、組合せパターン棒１２、フェースキャップ８および回転組合せ体１７を有している。
【００２１】
回転組合せ体１７は、組合せパターン棒１２を中核として受けるようになっている。回転組合せ体１７の外周面の周りには、当該回転組合せ体１７の全長の一部に沿って軸方向に延びるガイドチャンネルが設けられている。各ガイドチャンネルは、当該ガイドチャンネルの長手方向に沿ってスライドするよう設けられたロッキングバーを受けるようになっている。各ロッキングバーは、バネ１８によりフェースキャップ８に向かって付勢されている。各ガイドチャンネルは、更に当該チャンネルの全長の一部に沿って設けられたスロットを有している。このスロットにより、ガイドチャンネルから組合せパターン棒１２までアクセスすることができるようになっている。
【００２２】
ロッキングバーは、搬送部材１６およびヘッド部材１５を有している。ヘッド部材は、組合せパターン棒１２に向かって半径方向に向かって延びるロッキングバーピンに取り付けられている。このヘッド部材は、バネ１９により組合せパターン棒１２から遠ざかるよう半径方向に付勢されている。
【００２３】
フェースキャップ８は、鍵穴、固定クリップ６、固定ピン１０およびフェースキャップ位置決めボール９を有している。フェースキャップ位置決めボール９および固定ピン１０は、外郭部材１３に対するフェースキャップ８の位置を固定するようになっている。
【００２４】
フェースキャップ８からロッキングバーへのアクセスを防止する非変更手段として、非ドリルプレート１１がフェースキャップ８とロッキングバーとの間に設けられている。更に、組合せパターン棒１２の表面へのアクセスを防止するために非ドリルリング１４が設けられている。
【００２５】
組合せパターン棒１２は、錠の組合せパターンを提供するような複数の組合せパターン孔をその表面に有している。組合せパターン孔の個数は、使用されるロッキングバーの個数とほぼ同一となっている。組合せパターン孔は、組合せパターン棒１２の外周面の周りにおける角度位置に形成されており、少なくとも一つの組合せパターン孔がガイドチャンネルの各スロットを介してアクセス可能となっている。更に、組合せパターン孔は、組合せパターン棒１２の長手方向において異なる軸方向位置に形成されている。軸方向位置の可能な範囲は、ガイドチャンネルのスロットの長さにより決定される。各組合せパターン孔の軸方向位置は、当該組合せパターン孔による組合せパターンを規定する。ある組合せパターン孔２０ａ−２０ｇについての異なる可能な軸方向位置を図４ａおよび図４ｂに示す。
【００２６】
組合せパターン棒１２は、追加の非変更手段として追加の「ダミー（偽）」の孔を有していてもよい。
【００２７】
錠を解除するために、ロッキングバーの各ロッキングバーピン１５は、組合せパターン棒１２の組合せパターン孔に必ず係合するようになっている。以下に記載するような実施の形態における、適切にコード化された鍵を用いることにより、このことが達成される。
【００２８】
図１乃至図３に示すように、鍵は、ロッキングバーの搬送部材１６と係合するよう形成されたコードを有している。この鍵が鍵穴に完全に挿入されることにより、各ロッキングバーピン１５が各々の組合せパターン孔上に位置するまで、コードはガイドチャンネルに沿って各搬送部材１６を滑らせる。鍵は更に組合せパターン棒１２および回転組合せ体１７に係合するようになっており、このことにより鍵を回転させることにより組合せパターン棒１２および回転組合せ体１７を回転させるようになっている。鍵が解錠位置となるよう回転させられたときには、ロッキングバーは組合せパターン棒１２に向かって半径方向に押圧され、ロッキングバーピン１５が組合せパターン孔に係合する。正しい鍵が用いられないときには、１または複数のロッキングバーピン１５が組合せパターン孔に係合されることはなく、各々のロッキングバーは内方に移動することができず、回転体は回転しないようになる。
【００２９】
図２は、外郭部材１３の穴の下方の図を示す。穴の表面には、当該穴の長手方向の下方に延びる複数の溝２１が形成されている。正しくコード化された鍵が回転体を回転させるときには、溝はロッキングバーを半径方向外方へ移動させ、ロッキングバーピン１５を組合せパターン孔から取り外すようになっている。更に、回転体を回転させることによりロッキングバーが溝から外れ、このことによりこれらを半径方向内方に押圧し、ロッキングバーピン１５を組合せパターン孔に係合させる。
【００３０】
錠の他の実施の形態において、組合せパターン棒１２には、上述の組合せパターン孔に対して角度がオフセットした更なる組合せパターン孔が形成されている。このことにより、異なるコード化された鍵のために少なくとも一つの平行な組合せパターン（ｐａｒａｌｌｅｌ  ｃｏｍｂｉｎａｔｉｏｎ  ｖａｌｕｅｓ）の他のセットが得られる。他の組合せパターン孔を用いて錠の解錠を行うために、組合せパターン棒１２は回転組合せ体１７から独立して回転することが必要であり、このことにより、他の組合せパターン孔がスロットを介してアクセス可能となる。この他の実施の形態により、錠のマスターキーの形成を容易にすることができることが理解されよう。他の種類の錠の好ましい実施の形態については省略する。
【００３１】
図４ａに示すように、本実施の形態における組合せパターン棒１２は、３つのセットの組合せパターン、すなわち中央セット２０、２２、中央セットから時計回り方向にオフセットした左回転セットおよび中央セットから反時計回り方向にオフセットした右回転セットを有している。図３は、組合せパターン孔２３の一の左回転セットのみを示している。同様に、組合せパターン孔２４の一の右回転セットのみを示している。組合せパターン棒１２は、更に三角形状の凹部（セット孔）２５を有している。
【００３２】
セットピン２６が回転組合せ体１７に設けられている。このセットピン２６は、三角形状凹部２５内に突出している。
【００３３】
組合せパターン棒１２は、回転組合せ体１７から独立して回転可能となっている。この組合せパターン棒１２は、軸方向に付勢されたスプリングを更に有している。スプリングの付勢およびセットピン２６により、組合せパターン棒１２が自然に、図５ｂに示すように組合せパターンの中央セットがガイドチャンネルのスロットに位置合わせされるような位置となる。セットピン２６は、凹部２５の三角形状によって組合せパターン棒１２を自然位置に案内し、三角形の頂部に位置させるようになる。この位置で、組合せパターンの中央セットに対応するコードを有する鍵が上述のように錠を解錠する。
【００３４】
組合せパターンの左回転セットに錠を変えるために、セットピンが三角形状凹部の底部に位置するまで、組合せパターン棒１２が錠内に押圧される。そして、図５ａに示すようにセットピンが凹部の右隅に位置するまで組合せパターン棒１２が反時計回りに回転させられる。この位置で、組合せパターンの左回転セットを提供する組合せパターン孔は、ガイドチャンネルのスロットに位置合わせされている。この錠は、前述のように解錠されるが、新しい適切なコードを有する鍵が必要となる。
【００３５】
組合せパターンの右回転セットに錠を変えるための手段は、実質的に同様であるが、図５ｃに示すように組合せパターン棒１２が時計回りに回転する点が異なっている。
【００３６】
組合せパターン棒１２の押圧および回転は、鍵により行われることが好ましい。この場合、組合せパターン棒１２の表面は、回転体３に係合するような形状となっている。回転体３の方向は、適切な組合せセットにセットするために組合せパターン棒１２が最初に回転させられるかどうかの方向を示す。回転体における異なる方向については図５に示す。
【００３７】
上述の錠を操作する鍵の好ましい実施の形態を図１に示す。この鍵は、鍵ヘッド１、回転体３、固定ピン５、固定スリーブ２、シリンダ本体４およびドライバー棒７を有している。
【００３８】
シリンダ本体４は、当該シリンダ本体４の表面に沿って軸方向に延びる突出部４ａを有している。突出部４ａは、鍵のコードを形成しており、組合せパターンシリンダ４の外周面の周りに位置している。このため、各突出部４ａはロッキングバーの各々の搬送部材１６と係合するようになっている。各突出部４ａの軸方向長さにより、ガイドチャンネルに沿ってロッキングバーがどれだけ移動させられるかが規定される。
【００３９】
フェースキャップ８は、突出部４ａを有する組合せパターンシリンダ４を受け入れるような形状となっている。
【００４０】
突出部４ａおよびドライバー棒７は、回転組合せ体１７に連結するようになっている。このことにより、鍵が回転させられたときに回転組合せ体１７が回転する。
【００４１】
回転体３はシリンダ本体４の内部に形成されている。この回転体３の表面は、組合せパターン棒１２の表面と適合するような形状となっている。回転体３は、シリンダ本体４に対応して、鍵を使用する際に、突出部４ａがロッキングバーを完全に移動させる前に当該回転体３が組合せパターン棒１２に係合するよう、構成されている。このことにより、ロッキングバーが完全に移動させられる前に、組合せパターン棒１２の組合せパターンの他のセットを選択することができる。
【００４２】
フェースキャップ８は、ドライバー棒を有する鍵が一定の方向で単に錠に挿入したり退出したりすることができるような形状となっている。このことにより、鍵が挿入されたときにこの鍵のコードが組合せパターン棒１２の組合せパターンに的確に位置合わせすることができ、鍵が取り除かれたときに錠を元の位置に戻すことができるようになっている。
【００４３】
上述の実施の形態は、複数の顕著な方法により修正することができることが想定されよう。とりわけ、組合せパターン棒１２は単に２つの平行組合せパターンが設けられたものとすることができる。組合せパターン棒１２は３つよりも多くの平行組合せパターンが設けられたものとすることができることも想定されよう。平行組合せパターンの設けられる数についての実際上の制限は、ロッキングバーの角距離、すなわち同じセットの各々の組合せパターン孔の角距離により決められる。これらの孔の間に、各々の平行組合せパターン孔が位置される。組合せパターンの平行セットの特徴を示すために、平行組合せパターンの各組合せパターン孔間において十分な離間距離が必要であることが理解されよう。
【００４４】
このことは、本発明の錠にとって重要な利点である。従来の構成では、可能な組合せパターンの同じセットを用いながら、すなわち５つの位置の各々に６つのピンを用いながら、全ての鍵が操作を行っており、どのマスターキーも自由に組合せパターンを取り除くことが可能となっていた。一方、本発明の構成では、組合せパターンのセットは全く平行となっている。鍵に対して他の回転に係る完全に分離された鍵により一の回転による操作が可能となる。１つの回転位置が一度に用いられる。さらに、錠の使用者にとって他の回転位置が用いられることが明らかとなるような必要はない。
【００４５】
このため、マスターキーの組合せパターンは、組合せパターンの関係または制限が通常の組合せパターンにより与えられることなしに一の回転位置においてセットされる。
【００４６】
上述のような鍵の実施の形態において、突出部４ａは連続的に延びている。鍵の長手方向における突出部４ａの前面の位置によりコードが決定される。この際に、この突出部４ａの前面がロッキングバーに係合する。このことにより、突出部４ａのコード形状は、前面が必要とされる位置になるようモジュール、または類似のものに置き換えられることができる。
【００４７】
他の好ましい実施の形態においては、組合せパターン棒１２は取り外すことができるようになっている。このことにより、組合せパターン棒１２が交換可能となり、錠の残りの構造を交換することなく錠の組合せパターンを変えることができる。この実施の形態においては、組合せパターン棒１２にチャンネル２７が設けられており、図４ａに示すようにこのチャンネル２７は組合せパターン棒１２の後部まで延びるようになっている。
【００４８】
組合せパターン棒１２を取り除く工程について図示する。図２および図３は、鍵が錠に挿入されるときまたは取り除かれるときの状態に対応するような回転組合せ体１７の当初の状態を示す。この状態において、ロッキングバーピン１５は組合せパターン孔に係合しておらず、セットピン２６が完全に凹部２５に係合している。回転組合せ体１７が時計方向に回転させられて取り外し位置となる。回転の間、全てのロッキングバーピン１５およびセットピン２６が各々の組合せパターン孔に係合する。図６および図７は、取り外し位置にある回転組合せ体１７を示す。この状態において、ロッキングバー２８のみが半径方向に移動させられ、そのロッキングバーピンがチャンネル２７に係合する。残りのロッキングバーピンおよびセットピン２６は各々の孔に係合しない。組合せパターン棒は、単に錠から真っ直ぐに抜き出され、ロッキングバー２８のロッキングバーピンがチャンネル２７のコースに沿って移動する。組合せパターン棒１２は単に人間の指により組合せパターン棒の表面を握って引っ張ることによって抜き出されるようになっていてもよく、あるいは適切な保持道具を用いてもよい。
【００４９】
取り外し用鍵２９は、回転組合せ体１７を取り外し位置とさせるような初期位置に設けられることが好ましい。この取り外し用鍵２９は、通常の鍵と類似しているが、ドライバー棒８が除去されている。このことにより、取り外し用鍵２９が錠から取り外されるが回転組合せ体１７を取り外し位置に維持させることができる。組合せパターン棒１２が取り外しのためにアクセス自在となる。
【００５０】
交換用の組合せパターン棒７を挿入する手順は、基本的に上述の逆の手順となっている。
【００５１】
取り外し用鍵２９は、回転組合せ体１７を取り外し位置に回転させるための正確なコードを必要とする。このコードは、通常はグランドマスターキーのコードに対応し、一の取り外し用鍵２９のみが全ての錠と協働するために必要とされる。
【００５２】
これらの錠の組合せパターンを変更したいと考えている人間は、新しい組合せパターン棒１２および適切なコード化された鍵のみを必要とするということが明らかであろう。組合せパターン棒および鍵は、適合する棒および鍵のセットの形式で供給されることが想定されよう。組合せパターン棒に平行組合せパターンが使用される場合には、複数の適合する棒および鍵のセットに、一部または全ての棒に使用される１または複数のマスターキーが加えられる。
【００５３】
図８に示すような他の実施の形態の錠によれば、フェースキャップ１０８は実質的に円形の鍵穴を有しており、この鍵穴の直径は鍵の組合せパターンシリンダ４の直径と合致するようになっている。この実施の形態において、フェースキャップ１０８は、前述の鍵におけるコード化された突出部４ａを有する組合せパターンシリンダ４を受け入れることはない。
【００５４】
図８は、このタイプの錠に適合するような代わりの鍵の構造体を更に示している。この実施の形態において、シリンダ本体１０４には、コードが必要とされる箇所にスロットが設けられている。各スロット内にアクチュエータ１００が形成されている。各アクチュエータ１００は、シリンダ本体１０４の中央の内部で延びるよう付勢されており、必要なコードを与えるような形状となっている。
【００５５】
図９は、錠に進入するアクチュエータ１００を有する鍵を示す。ここで、組合せパターン棒１２はシリンダ本体１０４に進入している。組合せパターン棒１２はアクチュエータ１００に係合し、シリンダ本体１０４内のスロットを介してこのアクチュエータ１００を押し出す。アクチュエータ１００が移動すると、各々のコードは露出され、通常の方法によりロッキングバーに係合する。
【００５６】
このようなフェースキャップ１０８を有する錠を設けることにより、錠にとって更なる安全上の利点が得られることが理解されよう。フェースキャップ１０８は、人が錠をのぞき込むことや外部の機構を見ることを防止する。更に、フェースキャップ１０８は、人が錠の機構にアクセスして変更することを非常に困難とする。
【００５７】
取り外し用の鍵は図１に示すような錠におけるこの代わりの鍵に基づくものとすることが想定されよう。
【００５８】
鍵および／または取り外し用鍵は他の鍵の構造体の複合型とすることができることも更に想定されよう。言い換えると、鍵または取り外し用鍵に、突出部およびアクチュエータの組合せパターンを設けることができる。例えば、鍵は上述のように一つのアクチュエータを有し、一つの突出部のようなコード状態が残っている。このような複合型の鍵または取り外し用鍵が使用される箇所においてフェースキャップは少なくともこの鍵または取り外し用鍵を受け入れるような形状であることが必要とされることが理解されよう。この複合型の方法により、鍵のプロファイルを有する可能性を広げることができる。例えば、錠は、組合せパターンのあるセットを有する組合せパターン棒を有し、鍵穴を有するフェースキャップは特定の位置に特定の数の突出部を有する鍵を受け入れるような形状となっていてもよい。複数の複合型の鍵はこのような錠を解錠するよう適切にコード化されていてもよいが、正しい位置に突出部を有するよう適切にコード化された鍵のみが鍵穴に入るようになっている。
【００５９】
本発明の好ましい実施の形態について記載したが、本発明は、当業者にとって明らかな修正された特徴および追加の特徴を有するよう具現化してもよいことに留意されたい。
【図面の簡単な説明】
【００６０】
【図１】錠プラグおよび鍵の一の好ましい実施の形態の分解立体図である。
【図２】錠の後部から見た当該錠の好ましい実施の形態の断面図である。
【図３】ラインＡ−Ａ矢視による図２の錠の断面図であって、鍵が挿入されたときの錠の断面図である。
【図４ａ】組合せパターン棒を示す図である。
【図４ｂ】図４ａの領域Ｂの拡大図である。
【図５ａ】左回転組合せパターンに回転された組合せパターン棒を有する図２の錠を示す図である。
【図５ｂ】中央組合せパターンに位置する組合せパターン棒を有する図２の錠を示す図である。
【図５ｃ】右回転組合せパターンに回転された組合せパターン棒を有する図２の錠を示す図である。
【図５ｄ】図５ａにおいて組合せパターン棒に回転を与えるよう構成された回転体を有する鍵を示す図である。
【図５ｅ】図５ｂにおいて組合せパターン棒の位置決めを行うよう構成された回転体を有する鍵を示す図である。
【図５ｆ】図５ｃにおいて組合せパターン棒に回転を与えるよう構成された回転体を有する鍵を示す図である。
【図６】錠の後部から見た、取り外し位置にある回転組合せ体を有する錠の断面図である。
【図７】ラインＡ−Ａ矢視による図６の錠の断面図であって、取り外し用鍵が挿入されたときの錠の断面図である。
【図８】錠プラグおよび鍵の他の好ましい実施の形態の分解立体図である。
【図９】ラインＡ−Ａ矢視による図２の錠の断面図であって、他の実施の形態の鍵が部分的に挿入されたときの錠の断面図である。
【図１】
0004566991.tif 000002
【図２】
0004566991.tif 000003
【図３】
0004566991.tif 000004
【図４Ａ】
0004566991.tif 000005
【図４ｂ】
0004566991.tif 000006
【図５ａ】
0004566991.tif 000007
【図５ｂ】
0004566991.tif 000008
【図５ｃ】
0004566991.tif 000009
【図５ｄ】
0004566991.tif 000010
【図５ｅ】
0004566991.tif 000011
【図５ｆ】
0004566991.tif 000012
【図６】
0004566991.tif 000013
【図７】
0004566991.tif 000014
【図８】
0004566991.tif 000015
【図９】
0004566991.tif 000016